(57)【特許請求の範囲】
【請求項１】
移動体に搭載され、同じ番組供給系列に属する各放送局の放送が地域毎に異なる周波数チャネルで放送される放送システムに適用される移動体用放送受信機であって、
受信中の放送に受信不良が基準時間長として設定された時間長以上継続した場合に、受信する放送を、受信中の放送を放送している放送局と同じ番組供給系列に属する受信状態が良好な他の放送局の放送に切り替える受信放送切替処理を行う受信放送切替手段と、
前記基準時間長として第１の時間長を設定し、前記基準時間長として前記第１の時間長が設定されているときに、受信中の放送に前記基準時間長以上の受信不良が継続した場合に、前記基準時間長を前記第１の時間長より短い第２の時間長に更新する基準時間長設定手段とを有することを特徴とする放送受信機。
【請求項２】
請求項１記載の放送受信機であって、
複数のプリセット番号の各々に対して放送局を登録したプリセットテーブルを記憶した記憶手段と、
ユーザから指定されたプリセット番号に対して前記プリセットテーブルに登録されている放送局の放送に、受信する放送を切り替えるプリセット放送局受信制御手段と、
受信中の放送に受信不良が基準時間長として設定された時間長以上継続した場合に、前記プリセットテーブルの受信中の放送を放送している放送局が登録されているプリセット番号に対して登録する放送局を、当該受信中の放送を放送している放送局と同じ番組供給系列に属する受信状態が良好な他の放送局に更新するプリセット更新手段とを有することを特徴とする放送受信機。
【請求項３】
請求項１または２記載の放送受信機であって、
前記基準時間長設定手段は、前記基準時間長として前記第２の時間長が設定されてから所定期間経過したときに、前記基準時間長を前記第１の時間長に復帰することを有することを特徴とする放送受信機。
【請求項４】
請求項１または２記載の放送受信機であって、
前記基準時間長設定手段は、前記基準時間長として前記第２の時間長が設定されているときに、前記基準時間長として前記第１の時間長が設定されている状態で最後に行われた前記受信放送切替手段の受信放送切替処理による受信する放送の切り替えによって、受信する放送とされた放送と同じ放送を受信している期間中に、前記基準時間長以上の受信不良が発生した場合に、前記基準時間長を前記第１の時間長に復帰することを有することを特徴とする放送受信機。
【請求項５】
請求項１または２記載の放送受信機であって、
予め設定されたユーザの本拠地域であるホームエリア内に、前記移動体が現在位置するかどうかを推定する現在地域推定手段を有し、
前記基準時間長設定手段は、前記基準時間長として前記第２の時間長が設定されているときに、前記現在地域推定手段が前記移動体がホームエリア内に位置すると推定した場合に、前記基準時間長を前記第１の時間長に復帰することを有することを特徴とする放送受信機。
【発明の詳細な説明】
【技術分野】
【０００１】
本発明は、放送受信機において、受信中の放送チャネルの受信状態が悪化したときに、受信する放送チャネルを切り替える技術に関するものである。
【背景技術】
【０００２】
放送受信機において、受信中の放送チャネルの受信状態が悪化したときに、受信する放送チャネルを切り替える技術としては、地上波デジタルＴＶ放送を受信する受信機において、受信中の放送チャネルの受信状態が悪化したときに、受信中の放送チャネルを放送している放送局と同系列の他の放送局から放送されている放送チャネルに、受信する放送チャネルを切り替える技術が知られている（たとえば、特許文献１）。
【先行技術文献】
【特許文献】
【０００３】
【特許文献１】特開２００８-２６３５０４号公報
【発明の概要】
【発明が解決しようとする課題】
【０００４】
自動車等の移動体に搭載された放送受信機における受信中の放送チャネルの受信状態の悪化は、受信中の放送チャネルの放送エリアからの移動体の離脱や、山間地やトンネル内走行時における電波受信環境の一時的劣化によって生じる。
そして、受信する放送チャネルの、同系列の他の放送局から放送されている放送チャネルへの切り替えは、電波受信環境の一時的劣化によって受信状態の悪化した場合には行わずに、受信中の放送チャネルの放送エリアからの離脱時にのみ行うことが望ましい。同系列の各放送局は放送エリアが異なるため、電波受信環境の一時的劣化によって受信状態が悪化した場合には、同系列の他の放送局から放送されている他の放送チャネルを良好に受信できるとは限らず、また、受信状態がすみやかに復帰することが期待できるからである。
【０００５】
したがって、受信中の放送チャネルの放送エリアからの離脱時にのみ、受信する放送チャネルの、同系列の他の放送局から放送されている放送チャネルへの切り替えが行われるよう、当該切り替えは、受信中の放送チャネルの受信状態の悪化が長時間継続した場合にのみ行うようにすることが望ましい。
【０００６】
しかし、このようにすると、受信中の放送チャネルの放送エリアからの離脱時における受信チャネルの、同系列の他の放送局から放送されている放送チャネルへの切り替えにも長時間を要してしまうこととなる。
そこで、本発明は、受信中の放送チャネルの放送エリアからの離脱時における受信チャネルの、同系列の他の放送局から放送されている放送チャネルへの切り替えを、よりすみやかに行えるようにすることを課題とする。
【課題を解決するための手段】
【０００７】
前記課題達成のために、本発明は、移動体に搭載され、同じ番組供給系列に属する各放送局の放送が地域毎に異なる周波数チャネルで放送される放送システムに適用される移動体用放送受信機に、受信中の放送に受信不良が基準時間長として設定された時間長以上継続した場合に、受信する放送を、受信中の放送を放送している放送局と同じ番組供給系列に属する受信状態が良好な他の放送局の放送に切り替える受信放送切替処理を行う受信放送切替手段と、前記基準時間長として第１の時間長を設定し、前記基準時間長として前記第１の時間長が設定されているときに、受信中の放送に前記基準時間長以上の受信不良が継続した場合に、前記基準時間長を前記第１の時間長より短い第２の時間長に更新する基準時間長設定手段とを備えたものである。
【０００８】
このような放送受信機によれば、受信している放送に受信不良が発生する毎に受信不良が第１の基準時間継続した時点で、受信する放送局の同番組放送系列の他の放送局への切り替えが行われた後は、受信不良が第１の基準時間より短い第２の基準時間継続した時点で受信する放送局の同番組放送系列の他の放送局への切り替えが行われることとなる。
【０００９】
したがって、第１の基準時間を用いて、移動体が受信中の放送エリアから離脱した場合に生じる長期間の受信不良を検出して受信する放送の切り替えを行った後に、当該放送エリアからの離脱によって生じる受信不良が生じた場合には、これを、第２の基準時間を用いて検出して、よりすみやかな、受信する放送の切り替えが行われることになる。
【００１０】
よって、受信中の放送の放送エリアからの離脱に起因する受信不良発生時のみ、受信する放送局の同番組放送系列の他の放送局への切り替えが行われるようにしつつ、放送エリアからの離脱に起因する２回目以降の受信不良発生時の放送局の切り替えをすみやかに行うことができるようになる。
【００１１】
ここで、このような放送受信機には、さらに、複数のプリセット番号の各々に対して放送局を登録したプリセットテーブルを記憶した記憶手段と、ユーザから指定されたプリセット番号に対して前記プリセットテーブルに登録されている放送局の放送に、受信する放送を切り替えるプリセット放送局受信制御手段と、受信中の放送に受信不良が基準時間長として設定された時間長以上継続した場合に、前記プリセットテーブルの受信中の放送を放送している放送局が登録されているプリセット番号に対して登録する放送局を、当該受信中の放送を放送している放送局と同じ番組供給系列に属する受信状態が良好な他の放送局に更新するプリセット更新手段とを、さらに備えるようにしてもよい。
【００１２】
このようにすることにより、受信する放送の切り替えと共に、プリセットテーブルに登録されている受信不良な放送局を、同番組供給系列の受信良好な放送局に更新するこができる。
また、以上の放送受信機は、前記基準時間長設定手段において、前記基準時間長として前記第２の時間長が設定されてから所定期間経過したときに、前記基準時間長を前記第１の時間長に復帰するように構成してもよい。または、以上の放送受信機は、前記基準時間長設定手段において、前記基準時間長として前記第２の時間長が設定されているときに、前記基準時間長として前記第１の時間長が設定されている状態で最後に行われた前記受信放送切替手段の受信放送切替処理による受信する放送の切り替えによって、受信する放送とされた放送と同じ放送を受信している期間中に、前記基準時間長以上の受信不良が発生した場合に、前記基準時間長を前記第１の時間長に復帰するように構成してもよい。または、以上の放送受信機に、予め設定されたユーザの本拠地域であるホームエリア内に、前記移動体が現在位置するかどうかを推定する現在地域推定手段を設け、前記基準時間長設定手段において、前記基準時間長として前記第２の時間長が設定されているときに、前記現在地域推定手段が前記移動体がホームエリア内に位置すると推定した場合に、前記基準時間長を前記第１の時間長に復帰するようにしてもよい。
【発明の効果】
【００１３】
以上のように、本発明によれば、受信中の放送チャネルの放送エリアからの離脱時における受信チャネルの、同系列の他の放送局から放送されている放送チャネルへの切り替えを、よりすみやかに行うことができる。
【図面の簡単な説明】
【００１４】
【図１】本発明の実施形態に係る放送受信機の構成を示すブロック図である。
【図２】本発明の実施形態に係るプリセットテーブルとホームエリアプリセット情報とを示す図である。
【図３】本発明の実施形態に係る受信チャネル更新処理を示すフローチャートである。
【図４】本発明の実施形態に係る受信チャネル更新処理の処理例を示す図である。
【発明を実施するための形態】
【００１５】
以下、本発明の実施形態について自動車に搭載され、地上波デジタルＴＶ放送を受信する放送受信機への適用を例にとり説明する。
図１に、本実施形態に係る放送受信機の構成を示す。
図示するように、放送受信機は、アンテナ１、フロントエンド部２、復調部３、ビデオデコーダ４、出力処理部５、アンプやスピーカなどを備えた音声出力装置６、表示装置７、入力装置８、制御部９、メモリ１０を備えている。
このような構成において、フロントエンド部２は、制御部９から受信チャネルとして指定された周波数チャネルを受信し、受信信号を復調部３に出力する。復調部３は、入力する受信信号に対してO復調／復号処理を行ってＴＳ（Transport Stream）を復元し、ビデオデコーダ４に送る。ビデオデコーダ４は、ＴＳをデコードし、デコードした映像信号と音声信号とを出力処理部５に出力し、デコードした各種制御情報を制御部９に出力する。
【００１６】
出力処理部５は、制御部９の制御に従って、ビデオデコーダ４から入力する映像信号を表示装置７に表示したり、ビデオデコーダ４から入力する音声信号を音声出力装置６に出力したり、制御部９から指定されたユーザ操作受付用のメニュー画面を表示装置７に表示したり、制御部９から指定された操作案内音声を音声出力装置６に出力する処理を行う。
【００１７】
また、復調部３は、フロントエンド部２の受信電界強度などを参照して、現在の受信チャネルの受信信号のＣ／Ｎ（Carrier to Noise Ratio;搬送波電力対雑音電力比）や、BER（Bit Error Rate;ビット誤り率）を受信信号の受信品質として測定し制御部９に通知する。
【００１８】
次に、本実施形態において、メモリ１０に格納するプリセットテーブルについて説明する。
図２ａに示すようにプリセットテーブルには、１から１２までのプリセット番号が登録された１２のエントリを有し、各エントリは、各々一つの放送局に対応づけることができ、対応づける放送局の放送局名（ＮＩＤ：Network_identification)、対応づける放送局の系列（番組供給系列/ネットワーク）を表す系列ＩＤ（Affiliation ID)、対応づける放送局の周波数チャネルが登録される。
【００１９】
ここで、このようなプリセットテーブルの各エントリの初期設定は、制御部９が、次のようにして行う。
すなわち、放送受信機の初期設定時に、フロントエンド部２に各周波数チャネルをスキャンさせて、各プリセット番号について、当該プリセット番号と等しいRemote_Control_Key_IDを含む周波数チャネルのうちの復調部３から通知される受信状態が最も良好な放送を行っている放送局を探索し、探索した放送局を当該特定のプリセット番号のエントリに登録する放送局として特定する。なお、Remote_Control_Key_IDは、放送局の指定する、当該放送局の放送を割り当てるべきキー番号の値を表すものである。
または、ユーザが特定のプリセット番号への登録操作を入力装置８を介して行った時点で、受信中である周波数チャネルの放送を行っている放送局を当該特定のプリセット番号のエントリに登録する放送局として特定する。
【００２０】
そして、各プリセット番号について、当該プリセット番号に登録する放送局として特定した放送局からの放送に含まれる放送局名（ＮＩＤ：Network_identification)及び系列ＩＤ（Affiliation ID)と、当該特定した放送局からの放送の周波数チャネルを当該プリセット番号のエントリに登録する。
【００２１】
なお、ＮＩＤやRemote_Control_Key_IDは、各周波数チャネルのＴＳ中のNIT(Network Information Table)に、系列ＩＤはＴＳ中のBIT(Broadcaster Information Table)に含まれ、制御部９は、ビデオデコーダ４から、これらの値を取得する。
ただし、各放送局と系列との対応をメモリ１０に登録しておき、制御部９において、これに基づいて、各放送局に対応する系列ＩＤ（Affiliation ID)を取得するようにしてもよい。
さて、このようなプリセットテーブルを用いて、制御部９は、ユーザによって入力装置８に対して特定のプリセット番号の受信指示操作が行われると、プリセットテーブルの、指定されたプリセット番号のエントリに登録されている周波数チャネルを受信チャネルに設定し、フロントエンド部２に設定した周波数チャネルを指定することにより、指定されたプリセット番号のエントリに対応付けられている放送局の放送の受信を制御する。
【００２２】
以下、このような放送受信機において、制御部９が行う受信チャネル自動更新処理について説明する。
図３に、この受信チャネル自動更新処理の手順を示す。
図示するように、この処理では、まず、第１基準時間Ｔ１（たとえば、Ｔ１=50sec)をタイムアウト時間として設定する（ステップ３００）。
そして、復調部３から通知される受信状態に基づいて、現在の受信チャネルの受信不良の発生を監視し（ステップ３０２）、受信不良が発生したならば、タイマをスタートする（ステップ３０４）。
そして、タイマの計測時間のタイムアウト時間（ここでは、第１基準時間Ｔ１）経過の発生前に（ステップ３０８）、受信不良が解消したならば（ステップ３０６）、すなわち、受信不良が時間Ｔ１以上継続しなかった場合には、ステップ３０２の監視に戻る。
一方、タイマの計測時間のタイムアウト時間（ここでは、第１基準時間Ｔ１）経過が発生した場合（ステップ３０８）、すなわち、受信不良が第１基準時間Ｔ１以上継続した場合には、現在の受信チャネルが登録されているプリセット番号を受信中プリセット番号として、受信中プリセット番号のプリセット更新処理を行う（ステップ３１０）。
【００２３】
このプリセット更新処理では、まず、プリセットテーブルの受信中プリセット番号のエントリから、系列ＩＤ（Affiliation ID)を取得する。そして、フロントエンド部２に各周波数チャネルをスキャンさせて、取得した系列ＩＤ（Affiliation ID)と等しい系列ＩＤ（Affiliation ID)を含む周波数チャネルのうちの復調部３から通知される受信状態が最も良好な放送を行っている放送局を探索し、探索した放送局を受信中プリセット番号のエントリに登録する新たな放送局として特定する。そして、特定した放送局からの放送に含まれる放送局名（ＮＩＤ：Network_identification)及び系列ＩＤ（Affiliation ID)と、当該特定した放送局からの放送の周波数チャネルに、プリセットテーブルの受信中プリセット番号のエントリを更新する。
【００２４】
そして、このようにして受信中プリセット番号に対して対応付ける放送局を、更新前の放送局と同系列の他の放送局に更新したならば、更新後のプリセットテーブルの受信中プリセット番号のエントリに登録されている周波数チャネルを、受信チャネルに設定し、フロントエンド部２に指定することにより、更新後の放送局の放送の受信を開始させる（ステップ３１２）。
【００２５】
そして、第２基準時間Ｔ２（たとえば、Ｔ２=2sec)をタイムアウト時間として設定する（ステップ３１４）。ここで第２基準時間Ｔ２は、第１基準時間Ｔ１より大幅に小さな値とする。
そして、タイムアウト時間復帰イベントの発生と（ステップ３１６）、現在の受信チャネルの受信不良の発生の監視を開始する（ステップ３１８）。ここで、タイムアウト時間復帰イベントについては後述する。
そして、タイムアウト時間復帰イベントが発生したならば（ステップ３１６）、ステップ３００からの処理に戻り、タイムアウト時間を第１基準時間Ｔ１に復帰し、上述したステップ３００以降の処理を行う。
一方、タイムアウト時間復帰イベントが発生する前に、受信チャネルの受信不良が発生した場合には（ステップ３１８）、タイマをスタートする（ステップ３２０）。
そして、タイマの計測時間のタイムアウト時間（ここでは、第２基準時間Ｔ２）経過の発生前に（ステップ３２４）、受信不良が解消されたならば（ステップ３２２）、すなわち、受信不良が第２基準時間Ｔ２以上継続しなかった場合には、ステップ３１６、３１８の監視に戻る。
【００２６】
一方、タイマの計測時間のタイムアウト時間（ここでは、第２基準時間Ｔ２）経過が発生した場合（ステップ３２４）、すなわち、受信不良が時間Ｔ２以上継続した場合には、現在の受信チャネルが登録されているプリセット番号を受信中プリセット番号として、受信中プリセット番号のプリセット更新処理を、上述のように行う（ステップ３２６）。
【００２７】
そして、受信中プリセット番号のプリセット更新処理によって受信中プリセット番号に対して対応づける放送局を、更新前の放送局と同系列の他の放送局に更新したならば（ステップ３２６）、更新後のプリセットテーブルの受信中プリセット番号のエントリに登録されている周波数チャネルを、受信チャネルに設定し、設定した受信チャネルをフロントエンド部２に指定することにより、更新後の放送局の放送の受信を開始させる（ステップ３２８）。
【００２８】
そして、ステップ３１６、３１８の監視に戻る。
ここで、ステップ３１６で発生を監視するタイムアウト時間復帰イベントについて説明する。
タイムアウト時間復帰イベントとしては、以下のいずれか一つもしくは複数、または、全てを用いることができる。
すなわち、最後に行われたステップ３１２の受信チャネルの切り替えより所定時間（たとえば、３０分）の経過を、タイムアウト時間復帰イベントとして用いるようにしてもよい。
また、自動車のアクセサリ電源のオン/オフに伴い発生する放送受信機への電源の再投入の発生を、タイムアウト時間復帰イベントとして用いるようにしてもよい。
また、最後にステップ３１２が行われたときの受信プリセット番号と同じプリセット番号に登録されている周波数チャネルが受信チャネルとして設定されている状況下での、ステップ３２４におけるタイムアウト時間（第２基準時間Ｔ２）以上の受信不良の継続の検出を、タイムアウト時間復帰イベントとして用いるようにしてもよい。
【００２９】
または、自動車にＧＰＳ受信機やナビゲーション装置を、放送受信機と連携可能に搭載し、ＧＰＳ受信機やナビゲーション装置において検出されている現在位置が、予め登録しておいた自動車のユーザのホーム地点（たとえば、自宅）周辺の地域に変化したことを、タイムアウト時間復帰イベントとして用いるようにしてもよい。
【００３０】
または、図２ｂに示すように、自動車のユーザのホームエリアで良好に使用可能なプリセットテーブルの内容をホームエリアプリセット情報としてメモリ１０に格納しておき、プリセットテーブルのいずれか一つまたは所定数のプリセット番号のエントリの内容（放送局名、系列ＩＤ、周波数チャネル）が、当該プリセット番号と同プリセット番号の内容としてホームエリアプリセット情報に登録されている内容と同じ内容となったことを、タイムアウト時間復帰イベントとして用いるようにしてもよい。
【００３１】
ここで、ホームエリアプリセット情報の作成は、上述のように自動車にＧＰＳ受信機やナビゲーション装置を搭載する場合には、ＧＰＳ受信機やナビゲーション装置において検出されている現在位置が予め登録しておいた自動車のユーザのホーム地点（たとえば、自宅）周辺の地域にあるときに、その時点のプリセットテーブルをホームエリアプリセット情報として格納することにより行うことができる。または、ホームエリアプリセット情報への周波数チャネルの登録は、過去所定期間（たとえば、一月）内において、プリセットテーブルの更新が無かった時間長が最も長かった期間において用いられていたプリセットテーブルをホームエリアプリセット情報として格納することにより行うことができる。
【００３２】
以上、制御部９が行う受信チャネル自動更新処理について説明した。
このような受信チャネル自動更新処理の処理例を図４に示す。
ここで、我が国においては、各放送局の放送エリアは、放送送信所を複数の放送局で共用している等の理由により、およそ複数のエリアに共通化されている。いま、ここでは、放送エリアとして、「東京エリア」と、「東京エリア」に隣接する「茨城エリア」が存在するものとして説明を行う。
【００３３】
さて、図示するように、いま、プリセットテーブルのプリセット番号１に対して放送局「ＭＨＫ総合東京」が登録され、プリセット番号２に対して放送局「ＭＨＫ教育東京」が登録され、プリセット番号１２に対して放送局「テレビ日本 東京」が登録されており、プリセット番号１の放送局「ＭＨＫ総合東京」を受信中の場合を想定する。
【００３４】
この場合において、自動車が東京エリア内を走行中に、受信環境が一時的に悪化し放送局「ＭＨＫ総合東京」の放送の受信不良（４００）が発生した場合、この受信不良は長時間継続しないので、当該受信不良が第１基準時間Ｔ１（たとえば、50sec）以上継続することはなく、プリセット更新処理や受信チャネルの切り替えは行われず、受信状態復帰後、放送局「ＭＨＫ総合東京」の放送の受信がそのまま継続される。
【００３５】
そして、その後、自動車が東京エリアから茨城エリアに移動すると、放送局「ＭＨＫ総合東京」の放送の受信不良（４０１）が発生する。
そして、この場合、放送局「ＭＨＫ総合東京」の放送エリアである東京エリアから離脱しているので、放送局「ＭＨＫ総合東京」の受信不良が以降続くこととなる。このため、受信不良の第１基準時間Ｔ１（たとえば、50sec）の継続が発生し、プリセット番号１のプリセット更新処理が行われ（４０２）、放送局「ＭＨＫ総合東京」と同系列の茨城エリアにおける放送局である「ＭＨＫ総合水戸」に、プリセット番号１の放送局が更新され、受信する放送局が「ＭＨＫ総合水戸」に切り替わる。
【００３６】
その後、ユーザがプリセット番号２の受信指示操作（４０３）を行うと、プリセット番号２に登録されている「ＭＨＫ教育東京」に、受信する放送局が切り替えられる。
しかし、この時点では、既に、放送局「ＭＨＫ教育東京」が放送されている東京エリアから離れているので、即座に受信不良（４０４）が発生する。
また、この場合には、既に、プリセット番号１の更新が発生しているので、放送局「ＭＨＫ教育東京」の受信不良が、第１基準時間Ｔ１よりも短い第２基準時間Ｔ２（たとえば、2sec）継続した時点で直ちに、放送局「ＭＨＫ教育東京」と同系列の茨城エリアにおける放送局である「ＭＨＫ教育水戸」に、プリセット番号２の放送局が更新され（４０５）、受信する放送局が「ＭＨＫ教育水戸」に切り替わる。
【００３７】
そして、以降は、上述したタイムアウト時間復帰イベントが発生するまで、受信不良が発生する毎に受信不良が第２基準時間Ｔ２継続した時点で、その時点の受信中プリセット番号の放送局の更新と、更新後の放送局への受信する放送局の切り替えが行われることとなる。
【００３８】
さて、以上のように、自動車が東京エリアから茨城エリアに移動したときの、１回目の更新、切り替えは、受信不良が第１基準時間Ｔ１以上継続したことによって、自動車が放送エリアを移動したと確実に推定できる場合にのみ行われる。一方で、自動車が東京エリアから茨城エリアに移動した後の、２回目以降の受信不良発生時のプリセット番号に登録する放送局の更新や受信する放送局の切り替えは、受信不良が第２基準時間Ｔ２継続した時点で、すみやかに行われることとなる。
【００３９】
よって、本実施形態に係る受信チャネル自動更新処理によれば、受信中の放送の放送エリアからの離脱に起因する受信不良発生時のみ、プリセット番号に登録する放送局の更新や受信する放送局の切り替えが行われるようにしつつ、放送エリアからの離脱に起因する２回目以降の受信不良発生時のプリセット番号に登録する放送局の更新や受信する放送局の切り替えを、よりすみやかに行うことができるようになる。
【００４０】
以上、本発明の実施形態について説明した。
【符号の説明】
【００４１】
１…アンテナ、２…フロントエンド部、３…復調部、４…ビデオデコーダ、５…出力処理部、６…音声出力装置、７…表示装置、８…入力装置、９…制御部、１０…メモリ。
【図１】
0005665673.tif 000002
【図２】
0005665673.tif 000003
【図３】
0005665673.tif 000004
【図４】
0005665673.tif 000005